(57)【特許請求の範囲】
【請求項１】
回転ドラムを回転させながら画像記録を行う画像記録装置の回転ドラムにおいて、
外表面と、中空部分と、を有するドラム円筒部と、
前記中空部分において放射状に延びてドラム内周面に連結された複数本のリブと、
前記ドラム円筒部の外表面上に配置される付属機構と、
前記画像記録装置の軸受けによって回転自在に軸支された状態で前記回転ドラムを支持する回転軸部と、を有すると共に、
前記ドラム円筒部と複数本のリブとを押し出し成型金型で一体成型により作成し、
かつ、前記付属機構の重量をバランスさせるために、前記ドラム円筒部は前記付属機構が配備された側とは反対側の肉厚が他の部分よりも厚く形成されていることを特徴とする画像記録装置の回転ドラム。
【請求項２】
回転ドラムを回転させながら画像記録を行う画像記録装置の回転ドラムにおいて、
外表面と、中空部分と、を有するドラム円筒部と、
前記中空部分において放射状に延びてドラム内周面に連結された複数本のリブと、
前記ドラム円筒部の外表面上に配置される付属機構と、
前記画像記録装置の軸受けによって回転自在に軸支された状態で前記回転ドラムを支持する回転軸部と、を有すると共に、
前記ドラム円筒部と複数本のリブとを押し出し成型金型で一体成型により作成し、
前記ドラム円筒部と複数本のリブとはアルミニウム合金から製作されており、
かつ、前記付属機構の重量をバランスさせるために、前記ドラム円筒部は前記付属機構が配備された側とは反対側の肉厚が他の部分よりも厚く形成されていることを特徴とする画像記録装置の回転ドラム。
【請求項３】
回転ドラムを回転させながら画像記録を行う画像記録装置の回転ドラムにおいて、
外表面と、中空部分と、を有するドラム円筒部と、
前記中空部分において放射状に延びてドラム内周面に連結された複数本のリブと、
前記ドラム円筒部の外表面上に配置される付属機構と、
前記画像記録装置の軸受けによって回転自在に軸支された状態で前記回転ドラムを支持する回転軸部と、を有すると共に、
前記ドラム円筒部と複数本のリブとは一体成型により、アルミニウム合金から製作され、
かつ、前記付属機構の重量をバランスさせるために、前記ドラム円筒部は前記付属機構が配備された側とは反対側の肉厚が他の部分よりも厚く形成されていることを特徴とする画像記録装置の回転ドラム。
【発明の詳細な説明】
【０００１】
【発明の属する技術分野】
本発明は、製版用カラースキャナなどのドラム型画像記録装置に係り、特に感光性フィルムが装着される回転ドラムの構造に関する。
【０００２】
【従来の技術】
周知のように、この種の画像記録装置では、感光性フィルムが装着された回転ドラムを高速回転させつつ露光ヘッドをドラム軸芯に沿って移動させることにより、感光性フィルムを走査露光して画像を焼き付けている。回転ドラムは中空構造であって、この回転ドラムの内部を真空排気ポンプで吸引することにより、ドラム周面に形成された多数の吸引孔を介して感光性フィルムを吸着保持している。
【０００３】
【発明が解決しようとする課題】
しかしながら、このような構成を有する従来例の場合には、次のような問題がある。
即ち、この種の回転ドラムには、後の印刷工程などで位置決めの基準となる孔を感光性フィルムにあけるための孔あけ機構が設けられることがある。このような付属機構が設けられた回転ドラムが高速回転すると、付属機構の回転遠心力によってドラム円筒部が変形することがある。
【０００４】
本発明は、このような事情に鑑みてなされたものであって、回転ドラムが高速回転した際にドラム円筒部が変形するのを防止することを目的とする。また、本発明の他の目的は、回転ドラムの製造コストを安価にすることにある。
【０００５】
【課題を解決するための手段】
本発明は、このような目的を達成するために、次のような構成をとる。
すなわち、請求項１に記載の発明は、回転ドラムを回転させながら画像記録を行う画像記録装置の回転ドラムにおいて、外表面と、中空部分と、を有するドラム円筒部と、前記中空部分において放射状に延びてドラム内周面に連結された複数本のリブと、前記ドラム円筒部の外表面上に配置される付属機構と、前記画像記録装置の軸受けによって回転自在に軸支された状態で前記回転ドラムを支持する回転軸部と、を有すると共に、前記ドラム円筒部と複数本のリブとを押し出し成型金型で一体成型により作成し、かつ、前記付属機構の重量をバランスさせるために、前記ドラム円筒部は前記付属機構が配備された側とは反対側の肉厚が他の部分よりも厚く形成されていることを特徴とする。
【０００６】
請求項２に記載の発明は、回転ドラムを回転させながら画像記録を行う画像記録装置の回転ドラムにおいて、外表面と、中空部分と、を有するドラム円筒部と、前記中空部分において放射状に延びてドラム内周面に連結された複数本のリブと、前記ドラム円筒部の外表面上に配置される付属機構と、前記画像記録装置の軸受けによって回転自在に軸支された状態で前記回転ドラムを支持する回転軸部と、を有すると共に、前記ドラム円筒部と複数本のリブとを押し出し成型金型で一体成型により作成し、前記ドラム円筒部と複数本のリブとはアルミニウム合金から製作されており、かつ、前記付属機構の重量をバランスさせるために、前記ドラム円筒部は前記付属機構が配備された側とは反対側の肉厚が他の部分よりも厚く形成されていることを特徴とする。
【０００７】
請求項３に記載の発明は、回転ドラムを回転させながら画像記録を行う画像記録装置の回転ドラムにおいて、外表面と、中空部分と、を有するドラム円筒部と、前記中空部分において放射状に延びてドラム内周面に連結された複数本のリブと、前記ドラム円筒部の外表面上に配置される付属機構と、前記画像記録装置の軸受けによって回転自在に軸支された状態で前記回転ドラムを支持する回転軸部と、を有すると共に、前記ドラム円筒部と複数本のリブとは一体成型により、アルミニウム合金から製作され、かつ、前記付属機構の重量をバランスさせるために、前記ドラム円筒部は前記付属機構が配備された側とは反対側の肉厚が他の部分よりも厚く形成されていることを特徴とする。
【０００８】
【作用】
本発明の作用は次のとおりである。
請求項１から請求項３に記載の発明によれば、ドラム円筒部の内部に複数本のリブを配置しているので、回転ドラムが高速回転しても付属機構の回転遠心力によってドラム円筒部が変形することを防止できる。また、ドラム円筒部と複数本のリブとを一体成型により作成しているので安価な製造コストで作成できる。また、付属機構の重量をバランスさせるために、付属機構が配備された側とは反対側の肉厚が他の部分よりも厚くなるようにドラム円筒部が形成されているので、回転ドラムに付属機構が配置されていても、この回転ドラムの重量バランスをおおまかにとることができる。
【０００９】
特に請求項２及び請求項３に記載の発明によれば、ドラム円筒部と複数本のリブとをアルミニウム合金で形成しているので、製造コストをより安価にすることができる。
【００１１】
【発明の実施の形態】
以下、図面を参照して本発明の一実施例を説明する。
図１は本発明に係る画像記録装置の回転ドラムの要部構成を示した分解斜視図、図２は回転ドラム周面の展開図、図３は回転ドラムの横断面図、図４は回転ドラムの一端側の一部切り欠き斜視図、図５は回転ドラムのフランジ部の横断面図、図６は回転ドラムの回転軸部周辺の縦断面図である。
【００１２】
本実施例に係る回転ドラムは、各種サイズ（ここではＢ３，Ａ２，Ｂ２サイズ）の感光性フィルムＦを吸着保持するドラム円筒部１を備え、このドラム円筒部１の一端側に通気路を内蔵したリング状のフランジ部２が取付けられている。図６に示すように、ドラム円筒部１の軸芯に軸通気路を備えた回転軸部３が取付けられ、この回転軸部３の一端がフランジ部２の中心孔から導出されてる。回転軸部３はステッピングモータ４の出力軸に連結されている。回転軸部３には回転気密シール機構５が取付けられ、この回転気密シール機構５と真空排気ポンプ６とが外部通気管７B3，７A2，７B2を介して連通接続されている。以下、各部の構成を詳しく説明する。
【００１３】
図１ないし図３に示すように、ドラム円筒部１の肉厚部内には、その軸芯に沿った１０本の吸引路８がドラム周方向に分散形成されている。各吸引路８はフランジ部２が取付けられる一方の端面側で開口しており、他端側では閉塞されている。吸引路８の内、３本の吸引路８B3はドラム長さの略中心ＣＬを基準としてドラム円筒部１の周面に振り分け設定された、Ｂ３サイズの感光性フィルムの吸着領域（図２中に符号Ｂ３で示す領域）に対応するもので、この吸着領域Ｂ３内に形成された吸着孔９群に連通接続されている。他の３本の吸引路８A2は同様に中心ＣＬを基準として振り分け設定された、Ａ２サイズの感光性フィルムの吸着領域（図２中に符号Ａ２で示す領域）に対応するもので、この吸着領域Ａ２内に形成された吸着孔９群に連通接続されている。残りの４本の吸引路８B2はＢ２サイズの感光性フィルムの吸着領域（図２中に符号Ｂ２で示す領域）に対応するもので、この吸着領域Ｂ２内に形成された吸着孔９群に連通接続されている。吸着領域Ａ２は吸着領域Ｂ３を含み、吸着領域Ｂ２は吸着領域Ｂ３，Ａ２を含む。
【００１４】
各吸着領域Ｂ３，Ａ２，Ｂ２にはドラム周方向に延びる吸着溝１０が形成されており、各吸着溝１０は各吸着領域内の吸着孔９に連通接続されている。なお、各吸着領域Ｂ３，Ａ２，Ｂ２内の吸着溝１０は他の吸着領域にはみ出さないように配置されている。
【００１５】
ドラム円筒部１の中空部には回転軸芯から放射状に延びてドラム内周面に連結されたリブ１１がドラム円筒部１と一体に形成されている。ドラム円筒部１に後述するフィルム押さえ機構１２や孔あけ機構１３などの比較的重量のある付属機構が取付けられた状態で、画像記録時に回転ドラムが高速回転駆動されると、これらの付属機構の回転遠心力によってドラム円筒部１が変形するおそれがある。そこで、上記のようにドラム円筒部１内にリブ１１を配備することにより、ドラム円筒部１の変形を防止している。フィルム押さえ機構１２や孔あけ機構１３が配備された側と反対側のドラム円筒部１の肉厚部は、他の部分よりも少し厚く形成されている。これによって上記の付属機構との重量バランスを大まかにとるようにしている。
【００１６】
上記のようなドラム円筒部１は、アルミニウム合金などを使って押し出し成型金型で一体成型するのが製作コストの面から好ましい。押し出し成型によってドラム円筒部１の肉厚部、その内部に設けられる吸引路８、およびリブ１１を一工程で作成することができる。
【００１７】
フィルム押さえ機構１２は、図示しない搬送ローラ群で搬入されてきた感光性フィルムの先端部を機械的に保持するためのものであり、ドラム円筒部１の周面に回転自在に軸支された細長い支軸１２ａに、感光性フィルムの各種のフィルムサイズに応じた複数個の押さえ片１２ｂが挿入固定されている。図示していないが、支軸１２ａの一端側はＬの字状に屈曲されており、この屈曲部に偏芯カムを作用させて支軸１２ａを回動させることにより、押さえ片１２ｂが開閉するようになっている。
【００１８】
孔あけ機構１３は、回転ドラムに装着された感光性フィルムの端面部に後の印刷工程などで位置決めの基準となる小孔を穿つためのものである。図３に示すように、ドラム円筒部１の内周面に取付けられたエアーシリンダ１３ａによって、ポンチ１３ｂがドラム円筒部１の肉厚部を貫通して出没し、ドラム表面に配備されたダイス１３ｃと協動して感光性フィルムに小孔を穿つようになっている。本発明の回転ドラムは、吸引路８がドラム円筒部１の肉厚部内にあり、したがって、ドラム円筒部１の中空部の気密性を保持する必要がないので、ドラム円筒部１の肉厚部を貫通する孔あけ機構１３に気密シールを施す必要がなく、それだけ回転ドラムを容易に製作することができる。
【００１９】
続いてフランジ部２について説明する。フランジ部２は、ドラム円筒部１の一方の端面に開口している１０本の吸引路８を吸着領域Ｂ３，Ａ２，Ｂ２ごとに纏め、３つの通気管１４（１４B3，１４A2，１４B2）を介して、後述する回転軸部３内の３つの軸通気路に接続するためのものである。図６に示すように、フランジ部２は合成樹脂で形成された２枚のリング状板部材２ａ，２ｂを気密に貼り合わせて内部流路を形成している。図５に示すように、ドラム円筒部１側の板部材２ａは、その外周縁に沿って立設された外壁１５ａと、その内周縁に沿って立設された内壁１５ｂとで形成される内部空間が隔壁１５ｃで区画されて、３つの内部流路１６（１６B3，１６A2，１６B2）が形成されている。内側の内部流路１６B3には、吸引路８B3に対応する位置にそれぞれ吸気口１７B3があけられている。中間の内部流路１６A2には、吸引路８A2に対応する位置にそれぞれ吸気口１７A2があけられている。外側の内部流路１６B2には、吸引路８B2に対応する位置にそれぞれ吸気口１７B2があけられている。中間の内部流路１６A2は隔壁１５ｃによって３つの領域に分断されているので、これらの領域が板部材２ｂ側に配備された連通管１８ａ，１８ｂによって連通されている（図４，図５参照）。図６に示すように、板部材２ａの背面で各吸気口１７に対応する位置に筒状小突起１９があり、これらの小突起１９がドラム円筒部１の対応する吸引路８の段付き開口部に嵌入するように、フランジ部２がドラム円筒部１に気密に連結されている。
【００２０】
図４ないし図６に示すように、ドラム円筒部１の一方の端面にボルト連結されている回転軸部３は、軸芯方向に延びる３つの軸通気路（２０B3，２０A2，２０B2）を備え、軸通気路２０B3は通気管１４B3を介してフランジ部２の内部流路１６B3に、軸通気路２０A2は通気管１４A2を介してフランジ部２の内部流路１６A2に、軸通気路２０B2は通気管１４B2を介してフランジ部２の内部流路１６B2に、それぞれ連通接続されている。
【００２１】
図６に示すように、ドラム円筒部１の両端面に連結された回転軸部３（ただし、図示していないドラム円筒部１の反対側の回転軸部には軸通気路は形成されていない）は、軸受け２１によって回転自在に軸支されている。軸受け２１から延び出している回転軸部３に回転気密シール機構５が取付けられている。回転気密シール機構５の内部は、シール部材によって３つの内部空間２２B3，２２A2，２２B2に分割されており、軸通気路２０B3の末端は内部空間２２B3に、軸通気路２０A2の末端は内部空間２２A2に、軸通気路２０B2の末端は内部空間２２B2に、それぞれ開口されている。
【００２２】
そして、回転気密シール機構５の内部空間２２B3は外部通気管７B3を介して直接に、内部空間２２A2は外部通気管７A2および電磁弁２３A2を介して、内部空間２２B2は外部通気管７B2および電磁弁２３B2を介して、それぞれ真空排気ポンプ６に連通接続されている。
【００２３】
以上のように構成された画像記録装置の回転ドラムの動作について以下に説明する。
本実施例装置で画像記録の対象となるＢ３，Ａ２，Ｂ２サイズの各感光性フィルムは図示しない共通の搬送ローラ群によって回転ドラムに搬入されてくる。図２において説明したように、各サイズの感光性フィルムを吸着保持するドラム周面の吸着領域Ｂ３，Ａ２，Ｂ２は、ドラム軸芯方向の中心ＣＬを基準として左右均等に振り分けられているので、搬送中の各サイズの感光性フィルムの中心線は略一致している。つまり、各サイズの感光性フィルムは搬送ローラ群の中央を通って搬入されてくるので、感光性フィルムはそのサイズにかかわらず搬送ローラ群から均等に推進力を受けることになる。したがって、搬送ローラ群の片側によって搬送されてくる場合に生じやすい蛇行のおそれがなく、各サイズの感光性フィルムの搬送が円滑に行なわれる。
【００２４】
いま、最も小さなＢ３サイズの感光性フィルムに画像記録を行なう場合、図６の電磁弁２３A2，２３B2は共に閉状態にし、外部通気管７B3を介してのみ回転ドラムの真空排気を行なう。結果、吸引路８A2，８B2を介した真空排気が行なわれず、回転軸部３の軸通気路２０B3およびフランジ部２の内部流路１６B3を介して外部通気管７B3に連通する吸引路８B3を介した真空排気のみが行なわれるので、ドラム周面の吸着領域Ｂ３のみが作動状態になる。
【００２５】
中間のＡ２サイズの感光性フィルムに画像記録を行なう場合は、電磁弁２３A2を開状態にする一方、電磁弁２３B2を閉状態にする。これにより外部通気管７B3および７A2を介して回転ドラムの真空排気を行なう。結果、吸引路８B2を介した真空排気が行なわれず、回転軸部３の軸通気路２０B3，２０A2およびフランジ部２の内部流路１６B3，１６A2を介して外部通気管７B3，７A2に連通する吸引路８B3，８A2を介した真空排気が行なわれるので、ドラム周面の吸着領域Ｂ３を含む吸着領域Ａ２が作動状態になる。
【００２６】
最大のＢ２サイズの感光性フィルムに画像記録を行なう場合は、電磁弁２３A2，２３B2を共に開状態にする。これにより全ての外部通気管７B3，７A2，７B2を介して回転ドラムの真空排気を行なう。結果、回転軸部３の軸通気路２０B3，２０A2，２０B2およびフランジ部２の内部流路１６B3，１６A2，１６B2を介して外部通気管７B3，７A2，７B2に連通する全ての吸引路８B3，８A2，８B2を介した真空排気が行なわれるので、ドラム周面の吸着領域Ｂ３，Ａ２を含む吸着領域Ｂ２が作動状態になる。
【００２７】
以上のようにして、画像記録を行なおうとする感光性フィルムのサイズに応じてドラム円筒部１の何れかの吸着領域が選択作動されるので、小サイズの感光性フィルムを装着した場合でも、その感光性フィルムで覆われていないドラム周面をテープなどを使って閉塞する必要がない。
【００２８】
搬送ローラ群によって搬送されてきた感光性フィルムは、その先端部がフィルム押さえ機構１２によって挟み込まれるとともに、孔あけ機構１３に挿入されて孔あけ加工が施される。そして、図６に示したステッピングモータ４で回転ドラを低速回転させつつ感光性フィルムが所定の吸着領域に巻き付けられて吸着保持されてゆく。回転ドラムに感光性フィルムが装着されると、ステッピングモータ４によって回転ドラムを高速回転させながら、図示しない露光ヘッドを回転ドラムの軸芯に沿って移動させることによって感光性フィルムに画像を焼き付けてゆく。
【００２９】
なお、上述した実施例ではＢ３，Ａ２，Ｂ２サイズの感光性フィルムを装着する回転ドラムを例にとって説明したが、本発明はこれに限定されず、種々のサイズの感光性フィルムに適用することができる。
【００３０】
【発明の効果】
以上の説明から明らかなように、本発明によれば次のような効果を奏する。
請求項１から請求項３に記載の発明によれば、回転ドラムが高速回転しても付属機構などの回転遠心力によってドラム円筒部が変形することを防止できると共に、回転ドラムを安価に作成できる。また、回転ドラムに付属機構が配置されていても、この回転ドラムの重量バランスをおおまかにとることができる。
【００３１】
特に請求項２及び請求項３に記載の発明によれば、ドラム円筒部と複数本のリブとをアルミニウム合金で形成しているので、製造コストをより安価にすることができる。
【図面の簡単な説明】
【図１】本発明に係る画像記録装置の回転ドラムの一実施例の要部構成を示した分解斜視図である。
【図２】回転ドラム周面の展開図である。
【図３】回転ドラムの横断面図である。
【図４】回転ドラムの一端側の一部切り欠き斜視図である。
【図５】フランジ部の横断面図である。
【図６】回転軸部周辺の縦断面図である。
【符号の説明】
１…ドラム円筒部
２…フランジ部
３…回転軸部
５…回転気密シール機構
６…真空排気ポンプ（真空排気手段）
７B3，７A2，７B2…外部通気管
８（８B3，８A2，８B2）…吸引路
９…吸着孔
１１…リブ
１４（１４B3，１４A2，１４B2）…通気管
２０（２０B3，２０A2，２０B2）…軸通気路
２３A2，２３B2…電磁弁（流路切り換え機構）
【図１】
0003855126.tif 000002
【図２】
0003855126.tif 000003
【図３】
0003855126.tif 000004
【図４】
0003855126.tif 000005
【図５】
0003855126.tif 000006
【図６】
0003855126.tif 000007